(57)【要約】      （修正有）【課題】複数の花を挿した場合に壁面を広い面積に渡って覆い花飾りとしての豪華さを出すことができ、また、壁掛け用花器をテーブルに飾りたい場合には、安定した状態で、花も環状に略隙間なく飾ることができる花器を提供する。【解決手段】背面が平面である有底筒体１０の上端開口が長穴である。この長穴は背面に沿って長径を有する壁掛け用花器。筒体の上端に天板を一体形成し、この天板に半円状の嵌め孔を弦の部分が隣り合うように一対形成した花器用スタンド。このスタンドの嵌め孔に、前記壁掛け用花器をその底部から嵌挿し、この嵌め孔の周端縁に掛け止めできるようにした壁掛け用花器の卓上設置システム。【選択図】図１
2008017956.tif 000002
【特許請求の範囲】
【請求項１】
背面が平面である有底筒体からなり、この有底筒体の上端開口が長穴であるとともにこの長穴は前記背面に沿って長径を有することを特徴とする壁掛け用花器。
【請求項２】
前記上端開口が半円状であることを特徴とする請求項１の壁掛け用花器。
【請求項３】
前記有底筒体の底部は湾曲凸状に形成されていることを特徴とする請求項１の壁掛け用花器。
【請求項４】
前記上端開口に格子状の支持具を設置したことを特徴とする請求項１の壁掛け用花器。
【請求項５】
背面が平面である有底筒体からなり、この有底筒体の上端開口が長穴であるとともにこの長穴は前記背面に沿って長径を有する壁掛け用花器と、筒体の上端に天板を一体形成し、この天板に半円状の嵌め孔を弦の部分が隣り合うように一対形成した花器用スタンドとを備え、前記壁掛け用花器をその底部から前記花器用スタンドの半円状の嵌め孔に嵌挿し、この嵌め孔の周端縁に掛け止めしたことを特徴とする壁掛け用花器の卓上設置システム。
【発明の詳細な説明】
【技術分野】
【０００１】
この発明は壁掛け用花器およびこの壁掛け用花器の卓上設置システムに関し、壁面に複数の花（生花又は造花，以下同じ）を豪華に飾る場合やこの花器を利用してテーブル上に豪華に花を飾る場合に使用されるものである。
【背景技術】
【０００２】
従来における壁掛け用花器は細い筒体からなり、この筒体の開口部に原則として一輪の花を指して壁面に飾っていた。
【０００３】
【特許文献１】特開２００３−２１０２９６号公報
【発明の開示】
【発明が解決しようとする課題】
【０００４】
しかしながら、かかる従来の壁掛け用花器にあっては、花を差すための開口部が小径の真円状であったため、複数の花を指した場合には束状になって真ん中に集まってしまい花飾りとしての豪華さを出しにくいという不都合を有した。
【０００５】
この発明の課題はこれらの不都合を解消することである。
【課題を解決するための手段】
【０００６】
前記課題を達成するために、この発明に係る壁掛け用花器においては、背面が平面である有底筒体からなり、この有底筒体の上端開口が長穴であるとともにこの長穴は前記背面に沿って長径を有するようにしたものである。
【０００７】
なお、前記上端開口を半円状にすることもできる。
【０００８】
また、前記有底筒体の底部は湾曲凸状に形成することもできる。
【０００９】
また、前記上端開口に格子状の花支持具を設置することもできる。
【００１０】
さらに、この発明に係る壁掛け用花器の卓上設置システムにおいては、背面が平面である有底筒体からなり、この有底筒体の上端開口が長穴であるとともにこの長穴は前記背面に沿って長径を有する壁掛け用花器と、筒体の上端に天板を一体形成し、この天板に半円状の嵌め孔を弦の部分が隣り合うように一対形成した花器用スタンドとを備え、前記壁掛け用花器をその底部から前記花器用スタンドの半円状の嵌め孔に嵌挿し、この嵌め孔の周端縁に掛け止めできるようにしたものである。
【発明の効果】
【００１１】
この発明に係る壁掛け用花器は上記のように構成されているため、即ち、背面が平面である有底筒体からなり、この有底筒体の上端開口が長穴であるとともにこの長穴は前記背面に沿って長径を有するようにしたため、前記上端開口に複数の花を指した場合に、これらの花は背面に沿って横方向に並ぶものである。
【００１２】
よって、この壁掛け用花器を使用すれば、複数の花を指した場合に壁面を広い面積に渡って覆うことができるため、花飾りとしての豪華さを出すことができる。
【００１３】
なお、前記上端開口を半円状にすれば、開口に複数の花を差した場合にこれらの花を開口の弧の部分に沿って所謂弧状に配置することができるため、デザイン性の優れた花飾りとして豪華を発揮できる。
【００１４】
また、前記有底筒体の底部を湾曲凸状に形成すれば、同じ長さの複数の花を差した場合に、それらの下端は底部に沿って湾曲状に配置されるため、花の先端部は自ずも自ずと湾曲状に配置される結果、複数の花を扇状に飾ることができる。
【００１５】
また、前記上端開口に格子状の花支持具を設置すれば、前記開口に複数の花を均等に差すことができるため、前記開口内全般にわたって花を飾りやすいものである。
【００１６】
さらに、この発明に係る壁掛け用花器の卓上設置システムにおいては、背面が平面である有底筒体からなり、この有底筒体の上端開口が長穴であるとともにこの長穴は前記背面に沿って長径を有する壁掛け用花器と、筒体の上端に天板を一体形成し、この天板に半円状の嵌め孔を弦の部分が隣り合うように一対形成した花器用スタンドとを備え、前記壁掛け用花器をその底部から前記花器用スタンドの半円状の嵌め孔に嵌挿し、この嵌め孔の周端縁に掛け止めできるようにしたため、前記壁掛け用花器をテーブルに飾りたい場合に安定した状態で、花も環状に略隙間なく飾ることができる。
【発明を実施するための最良の形態】
【００１７】
本発明は、背面が平面である有底筒体からなり、この有底筒体の上端開口が長穴であるとともにこの長穴は前記背面に沿って長径を有することに最も主要な特徴を有する。
【実施例１】
【００１８】
以下、この発明の実施例を説明する。
図１はこの発明に係る壁掛け用花器の斜視図、図２は図１におけるII−II線断面図、図３は図１におけるIII −III 線断面図、図４は花器用スタンドの斜視図、図５はこの花器用スタンドに壁掛け用花器を掛け止めした状態の斜視図である。
【００１９】
図１〜図３において、Ａは壁掛け用花器であり、  10はその有底筒体である。この有底筒体10は合成樹脂で形成され、その背面は平面状である。有底筒体10を壁に掛けた場合に、この背面は壁面に接触する部分である。11は上端開口であり、前記有底筒体10の上端に形成されている（図２，図３を参照のこと）。この上端開口11は半円状の長穴であり、前記背面に沿って長径（弦の部分）を有する。なお、この長径の長さは前記有底筒体10の深さよりも長いため、花Ｆを差した場合に水盤に花を生けたような状態を作ることができる。
【００２０】
また、前記有底筒体10の底部は図２に示すように、側面から見て湾曲凸状に形成されているため、複数の花Ｆを差した場合に、上端開口11の前面に沿って並べることができる。
【００２１】
また、図３に示すように、前面から見て湾曲凸状に形成されているため、同じ長さの複数の花Ｆを差した場合に、それらの下端は底部に沿って湾曲状に配置されるため、花Ｆの先端部は自ずと湾曲状に配置される。
【００２２】
次に、12鍔部であり、前記有底筒体10の開口端縁に一体形成されている（図２，図３を参照のこと）。また、13は係止凸条であり、前記鍔部12の外側に環状に一体形成されている。これらの鍔部12および係止凸条13の機能は後記する。なお、14は係止片であり、前記  係止凸条13の端縁に一体形成されている。この係止片14は前記有底筒体10の背面側に位置しており、垂直方向に延びている。この係止片14は係止孔15を有し、前記有底筒体10はこの係止片14を介して、壁面に設置された係止具Ｃ等に掛け止めされる。
【００２３】
また、16,16 は把持片であり、前記係止凸条13の外側に水平状に一体形成されている。この把持片16,16 は前記有底筒体10の両端に突出しており、前記有底筒体10を後記花器用スタンドＳに着脱する際に使用者が把持する部分である。
【００２４】
次に、20は支持具であり、前記有底筒体10の鍔部12に載置されている。この支持具20は前記有底筒体10に差される花Ｆを均等に配置するためのものである。そして、合成樹脂によって半円状の枠体21に形成されている。22はリブであり、前記枠体21に一体形成され、この枠体21内を複数の透孔部23,23 …に区切り、所謂格子状にしている。花Ｆはこの透孔部23,23,…に適宜に差し込まれるため、前記有底筒体10の上端開口11全体に渡って均一に配置することができる。なお、図２及び図３に示すように前記リブ22は断面Ｕ字状をしている。
【００２５】
次に、図４及び図５に基づいて、壁掛け用花器の卓上設置システムについて説明する。
【００２６】
この壁掛け用花器の卓上設置システムは、前記した壁掛け用花器Ａをテーブル上に設置する場合に使用されるシステムである。
【００２７】
図４において、30は合成樹脂製の筒体、31はその上端に一体形成された天板である。32,32 は嵌め孔であり、前記天板31に形成されている。これらの嵌め孔32,32 は半円状であり、前記天板31では、その弦の部分が隣り合うように位置している（図４を参照のこと）。33,33 は掛け止め凸条であり、前記天板31における前記嵌め孔32,32 の周囲に形成されている。この掛け止め凸条33には、図５に示すように、前記壁掛け用花器Ａを前記嵌め孔32に差し込んだ際に、その前記係止凸条13が被さるようにして掛け止めされる。
【００２８】
34,34 は棚状凹部であり、前記筒体30の側面に形成されている。この棚状凹部34は、前記嵌め孔32,32 の境界部に位置している。この棚状凹部34があるため、図５に示すように、前記壁掛け用花器Ａを前記嵌め孔32に差し込んだ際に、その把持片16,16 が、この棚状凹部34の上方に突出する。この結果、前記壁掛け用花器Ａを前記花器用スタンドＳに着脱しやすいものである。なお、前記壁掛け用花器Ａ，Ａを前記花器用スタンドＳに差し込んだ際に、各々の係止片14,14 は互いに密着しているため、この重なった係止片14,14 を掴んで、前記壁掛け用花器Ａ，Ａを前記花器用スタンドＳに対して着脱することもできる。
【産業上の利用可能性】
【００２９】
壁面に複数の花を豪華に飾る場合の花器として、又、この花器を使用してテーブル上に豪華に花を飾る場合のスタンドとして利用することができる。
【図面の簡単な説明】
【００３０】
【図１】図１はこの発明に係る壁掛け用花器の斜視図である。
【図２】図２は図１におけるII−II線断面図である。
【図３】図３は図１におけるIII −III 線断面図である。
【図４】図４は花器用スタンドの斜視図である。
【図５】図５はこの花器用スタンドに壁掛け用花器を掛け止めした状態の斜視図である。
【符号の説明】
【００３１】
Ａ  …  壁掛け用花器
Ｃ  …  係止具
Ｆ  …  花
Ｓ  …  花器用スタンド
10  …  有底筒体
11  …  上端開口
12  …  鍔部
13  …  係止凸条
14  …  係止片
15  …  係止孔
16  …  把持片
20  …  支持具
21  …  枠体
22  …  リブ
23  …  透孔部
30  …  合成樹脂製の筒体
31  …  天板
32  …  嵌め孔
33  …  掛け止め凸条
34  …  棚状凹部
【図１】
2008017956.tif 000003
【図２】
2008017956.tif 000004
【図３】
2008017956.tif 000005
【図４】
2008017956.tif 000006
【図５】
2008017956.tif 000007